(57)【要約】【課題】光学性能を許容範囲に確保しつつ、同時に見栄えを良好なものにすることが可能な眼鏡レンズ製造方法及び眼鏡レンズ並びに眼鏡レンズ供給方法を提供する。【解決手段】度数を含む処方の違いが左右眼で所定以上である場合において、これら左右の眼鏡レンズの第一屈折面及び第二屈折面の曲面の曲率を設計する際に、前記左右の眼鏡レンズが度数を含む処方条件をそれぞれ満たすようにし、かつ、各レンズの光学性能が許容範囲内に収まるようにした上で、左右の眼鏡レンズの第一屈折面の曲率の差が所定の範囲内に収まるように、前記左右の眼鏡レンズのうちの少なくとも一方の第一屈折面及び第二屈折面の曲率を選定する等の両眼視バランス設計を行う。【選択図】図１
2008083729.tif 000002
【特許請求の範囲】
【請求項１】
眼鏡レンズの発注側に設置されたコンピュータと、この発注側コンピュータに情報交換可能に接続された製造側コンピュータとを備え、前記発注側コンピュータと製造側コンピュータとは所定の入力操作に応じて演算処理を行い、互いに情報交換しながら眼鏡レンズの発注及び／又は受注処理に必要な処理を行って眼鏡レンズを供給する眼鏡レンズの供給方法であって、前記製造側コンピュータに、前記発注側コンピュータにより、眼鏡レンズ情報、眼鏡枠情報、処方値、レイアウト情報、加工指定情報等の加工に必要とされる加工条件データが送信されたとき、前記製造側のコンピュータに組み込まれたレンズ設計プログラムでは、前記送信された眼鏡レンズ情報のデータに基づき、予め用意されているレンズ設計データにより左眼、右眼の光学性能を比較検討し、両眼視のバランス調整が必要かどうかを判断して、バランス調整を必要と判断した場合、左眼、右眼の非点収差が同等になるように、その顧客に適した光学レンズ設計を行うことを特徴とする眼鏡レンズの供給方法。
【請求項２】
前記設計方法において、左右の眼鏡レンズの前方側の屈折面を第一屈折面とし、眼側の屈折面を第二屈折面としたとき、前記左右の眼鏡レンズの第一屈折面及び第二屈折面の曲面の曲率を設計する際に、左右の眼鏡レンズの第一屈折面の曲率を、予め用意されていた左右の眼鏡レンズの設計値の中間値を採用することを特徴とする請求項１記載の眼鏡レンズの供給方法。
【発明の詳細な説明】
【技術分野】
【０００１】
本発明は、特に、度数等の処方が左右眼で所定以上異なる場合にも、見栄えと光学性能とを両立させることが可能な眼鏡レンズを得ることができる眼鏡レンズ製造方法及び眼鏡レンズ並びに眼鏡レンズ供給方法に関する。
【背景技術】
【０００２】
眼の屈折異常を矯正するために用いられる眼鏡レンズの第一面の屈折面（装用状態における眼と反対側の面すなわち前方屈折面；第一屈折面）には、通常球面が用いられている。一方、第二面の屈折面（装用状態における眼側の面すなわち後方屈折面；第二屈折面）には球面の他に、乱視矯正のためにトーリック面等が採用されている。一般に、眼鏡レンズの屈折力（度数）は、近似的に第一屈折面の屈折力と第二屈折面の屈折力との和であって、ディオプター（以下Ｄで示す）という単位で表される。第一屈折面及び第二屈折面の屈折力（面屈折力）は、その面の曲率ρ（単位は１／ｍ、曲率半径Ｒ＝１／ρ）とレンズの素材の屈折率ｎとにより以下の式のように定義される。
面屈折力＝（ｎ−１）×ρ＝（ｎ−１）／Ｒ…（１）
なお、眼鏡レンズの第一屈折面の屈折力は特にベースカーブと呼ばれる。
【発明の開示】
【発明が解決しようとする課題】
【０００３】
ところで、被検眼の視力を矯正する眼鏡レンズを処方するに当たって、左右眼が同じ視力を有する場合には同じ屈折力（度数）のレンズを用いて処方するので、第一屈折面及び第二屈折面の曲率も同じとなり、非点収差、像面湾曲、歪曲収差等の光学性能も同じものとなる。しかしながら、左右眼の視力が異なる場合は当然に異なる屈折力（度数）のレンズを用いて処方することになる。
【０００４】
ここで、眼鏡レンズの非点収差を除去する数学的解として、チュルニング（Ｔｓｃｈｅｒｎｉｎｇ）が見いだしたチュルニングの楕円によれば、レンズ度数によって、非点収差を除去するために最適なベースカーブ（第一屈折面の屈折力）が異なる。それゆえ、視力が左右で異なる場合には、チェルニングの楕円に従えば、左右のレンズのベースカーブを異なるものにする必要がある。
【０００５】
したがって、チェルニングの楕円に従って設計した場合、左右の視力が大幅に異なるときは、左右のベースカーブが著しく異なることになる。このことは、眼鏡を外部からみたときに、左右の眼鏡レンズの曲面形状が著しくアンバランスに見えることを意味する。それゆえ、光学性能は良いが見栄えが著しく悪いということになる。しかも、個々のレンズ毎に各面の曲面形状が異なるので、製造コスト上においても不利であった。
【０００６】
一方、製造コストを下げるため、所定の度数の範囲でベースカーブを共通化することも行われている。しかし、この方法で製造したレンズは、最適ベースカーブから少なからずずれたベースカーブのものもあるので、どうしても光学性能が劣ることになるという問題がある。また、当然ながら、見栄えを良くするために、単純に左右のベースカーブを一致させると、光学性能を著しく悪化させる場合がある。
【０００７】
このように、レンズの光学性能を重視すると、コスト高と共に見栄えが悪化する場合がある。一方、見栄えを良くしようとすると、光学性能が悪化する場合があるという問題がある。
本発明は、上述の背景のもとでなされたものであり、光学性能を許容範囲に確保しつつ
、同時に見栄えを良好なものにすることが可能な眼鏡レンズ製造方法及び眼鏡レンズ並びに眼鏡レンズ供給方法を提供することを目的とする。    
【発明の効果】
【０００８】
本発明は、度数を含む処方の違いが左右眼で所定以上である場合において、これら左右の眼鏡レンズの第一屈折面及び第二屈折面の曲面の曲率を設計する際に、前記左右の眼鏡レンズが度数を含む処方条件をそれぞれ満たすようにし、かつ、各レンズの光学性能が許容範囲内に収まるようにした上で、左右の眼鏡レンズの第一屈折面の曲率の差が所定の範囲内に収まるように、前記左右の眼鏡レンズのうちの少なくとも一方の第一屈折面及び第二屈折面の曲率を選定する等の両眼視バランス設計を行うことを特徴とするもので、これにより、光学性能を許容範囲に確保しつつ、同時に見栄えが良好な眼鏡レンズを得ることができる眼鏡レンズ製造方法及び眼鏡レンズ並びに眼鏡レンズ供給方法を得ているものである。
【課題を解決するための手段】
【０００９】
上述の課題を解決するための手段として、第１の手段は、
度数を含む処方が左右眼で異なる眼鏡を構成する左右の眼鏡レンズを設計して製造する眼鏡レンズ製造方法において、
前記度数を含む処方の違いが左右眼で所定以上である場合において、
前記左右の眼鏡レンズの前方側の屈折面を第一屈折面とし、眼側の屈折面を第二屈折面としたとき、これら左右の眼鏡レンズの第一屈折面及び第二屈折面の曲面の曲率を設計する際に、前記左右の眼鏡レンズが度数を含む処方条件をそれぞれ満たすようにし、かつ、各レンズの光学性能が許容範囲内に収まるようにした上で、左右の眼鏡レンズの第一屈折面の曲率の差が所定の範囲内に収まるように、前記左右の眼鏡レンズのうちの少なくとも一方の第一屈折面及び第二屈折面の曲率を選定することを特徴とする眼鏡レンズ製造方法である。
第２の手段は、
前記度数を含む処方のうちの度数の処方が、プラス度数を含む場合においては左右眼の度数の違いが０．５Ｄ以上であり、前記度数の処方がマイナス度数を含む場合においては左右眼の度数の違いが１Ｄ以上であるとともに、前記左右の眼鏡レンズの第一屈折面の曲率の差が１Ｄ以下であることを特徴とする第１の手段にかかる眼鏡レンズ製造方法である。
第３の手段は、
前記光学性能は、非点収差、像面湾曲、歪曲収差のうちの少なくとも一つであることを特徴とする第１の手段かかる眼鏡レンズ製造方法である。
第４の手段は、
前記左右の眼鏡レンズのうちの少なくとも一方の第一屈折面の曲率の選定は、この曲面が非球面になる選定であることを特徴とする第１の手段にかかる眼鏡レンズ製造方法である。
第５の手段は、
前記眼鏡レンズの左眼用及び右眼用のレンズの少なくとも一つがトーリック面或いはまたアトーリック面を有することを特徴とする第１の手段にかかる眼鏡レンズ製造方法。
第６の手段は、
度数を含む処方が左右眼で異なる眼鏡を構成する左右の眼鏡レンズにおいて、  前記度数を含む処方の違いが左右眼で所定以上であり、
前記左右の眼鏡レンズの前方側の屈折面を第一屈折面とし、眼側の屈折面を第二屈折面としたとき、前記左右の眼鏡レンズが度数を含む処方条件を満たし、かつ、各レンズの光学性能が許容範囲にあると同時に、左右の眼鏡レンズの第一屈折面の曲率の差が所定の範囲内であることを特徴とする眼鏡レンズである。
第７の手段は、
前記度数を含む処方のうちの度数の処方が、プラス度数を含む場合においては左右眼の
度数の違いが０．５Ｄ以上であり、前記度数の処方がマイナス度数を含む場合においては左右眼の度数の違いが１Ｄ以上であるとともに、前記左右の眼鏡レンズの第一屈折面の曲率の差が１Ｄ以下であることを特徴とする第６の手段にかかる眼鏡レンズである。
第８の手段は、
眼鏡レンズの発注側に設置されたコンピュータと、この発注側コンピュータに情報交換可能に接続された製造側コンピュータとを備え、前記発注側コンピュータと製造側コンピュータとは所定の入力操作に応じて演算処理を行い、互いに情報交換しながら眼鏡レンズの発注及び／又は受注処理に必要な処理を行って眼鏡レンズを供給する眼鏡レンズの供給方法であって、
前記製造側コンピュータに、前記発注側コンピュータにより、眼鏡レンズ情報、眼鏡枠情報、処方値、レイアウト情報、加工指定情報等の加工に必要とされる加工条件データが送信されたとき、前記製造側のコンピュータに組み込まれたレンズ設計プログラムでは、前記送信された眼鏡レンズ情報のデータに基づき、予め用意されているレンズ設計データにより左眼、右眼の光学性能を含む因子を比較検討し、両眼視のバランス調整が必要かどうかを判断して、バランス調整を必要と判断した場合、左眼、右眼の光学性能を含む因子が同等になるように、その顧客に適した光学レンズ設計を行い、左右の処方レンズを決定することを特徴とする眼鏡レンズの供給方法である。
第９の手段は、
眼鏡レンズの発注側に設置されたコンピュータと、この発注側コンピュータに情報交換可能に接続された製造側コンピュータとを備え、前記発注側コンピュータと製造側コンピュータとは所定の入力操作に応じて演算処理を行い、互いに情報交換しながら眼鏡レンズの発注及び／又は受注処理に必要な処理を行って眼鏡レンズを供給する眼鏡レンズの供給方法において、
前記製造側コンピュータに、前記発注側コンピュータにより、眼鏡レンズ情報、眼鏡枠情報、処方値、レイアウト情報、加工指定情報等の加工に必要とされる加工条件データが送信された時、製造側のコンピュータに備えられたレンズ設計プログラムは、前記送信された眼鏡レンズ情報のデータに基づき、予め用意されたレンズ設計テーブルから左右眼レンズを選択するステップと、
前記選択された左右眼レンズの凸面ベースカーブ差の比較を行うステップと、
そのベースカーブ差が予め設定された基準以上ある場合に、凸面カーブを、非点収差がほぼ同等となるように、凸面カーブをもう一方のレンズの凸面カーブに非球面形状で近似させる再レンズ設計を行うステップを備えていることを特徴とする眼鏡レンズ供給方法である。
第１０の手段は、
前記カーブを揃える前のレンズ形状とこのレンズの処方データを含むデータ、カーブを揃えた後のレンズ形状とこのレンズの処方データを含むデータを比較するための表示手段を眼鏡レンズの発注側に設置されたコンピュータに転送し表示することを特徴とする第８又は第９の手段にかかる眼鏡レンズの供給方法である。
第１１の手段は、
度数を含む処方が左右眼で異なる眼鏡を構成する左右の眼鏡レンズにおいて、
前記度数を含む処方の違いが左右眼で所定以上であり、
前記左右の眼鏡レンズの前方側の屈折面を第一屈折面とし、眼側の屈折面を第二屈折面としたとき、前記左右の眼鏡レンズの第一屈折面及び第二屈折面の曲面の曲率を設計する際に、左右の眼鏡レンズの第一屈折面の曲率を、両者の中間値を採用することにより、ベースカーブの調整を行い、かつ前記左右の眼鏡レンズの度数を含む処方条件を満たすように第二屈折面を決定することを特徴とする眼鏡レンズ製造方法である。
【００１０】
上述の第１〜第３の手段によれば、度数を含む処方の違いが左右眼で所定以上（例えば、１Ｄ以上）である場合において、度数を含む処方条件及び光学性能の差が左右で許容範囲内に収まるようにした上で、左右の眼鏡レンズの第一屈折面の曲率の差が所定の範囲内
（例えば、１Ｄ以下）に収まるように、前記左右の眼鏡レンズのうちの少なくとも一方の第一屈折面及び第二屈折面の曲率を選定するようにしたことにより、光学性能を確保した上で見栄えもよい眼鏡を構成する眼鏡レンズを得ることができる。
ここで、眼鏡レンズにおける最適なベースカーブを示すチェルニングの楕円の形状を考えると、マイナス度数を有するレンズでは、レンズの度数が強くなるにつれてベースカーブの曲率が比較的ゆるくなる傾向になる。一方、プラス度数を有するレンズではレンズ度数が強くなるにつれてベースカーブの曲率がだんだん強くなる傾向にある。これは、チェルニングの楕円の傾斜から分かるように、マイナスレンズでは、傾斜がだんだんゆるくなり、プラスレンズではレンズその傾斜がだんだん強くなる傾向にあるからである。
したがって、マイナス度数を含む処方においては、度数の違いが左右眼で１Ｄ以上である場合に、左右眼の眼鏡レンズの第一屈折面の曲率差が１Ｄ以下になるようにし、一方、プラス度数を含む処方においては、左右の度数の違いが０．５Ｄ以上の場合において、左右眼の眼鏡レンズの第一屈折面の曲率差が１Ｄ以下になるようにすることが望ましい。
眼鏡レンズの光学性能としては、非点収差・像面湾曲・歪曲収差等があるが、これらのうち少なくとも一つが許容範囲内であれば、眼鏡レンズとして十分な性能を発揮し、かつ、両眼レンズが許容範囲内であれば、互いの性能の差もほぼ同等とみることもできるので、両眼の見え味のバランスも取れて、眼鏡としての性能も十分なものとなる。例えば、非点収差をほぼ同等にすれば、網膜上での結像状態を左右眼で同等のものとすることができ、両眼視がし易くなる。像面湾曲はｍ（メリディオナル）像面とｓ（サジタル）像面の平均値であるから、これをほぼ同等にすることによって周辺視したときの調節量が同等のものとなり、両眼視がし易くなる。歪曲収差は網膜上での像の歪みであるからこれをほぼ同等にすることによって周辺視したときの像の歪みが同等のものとなり、両眼視がし易くなる。これらの収差を同時に同等にすることが望ましいが眼鏡レンズが２面しかないことから困難である。
また、第４の手段によれば、少なくとも第一屈折面を非球面にすることにより、光学性能的により優れたものを実現するだけでなく、左右のレンズの第一屈折面の曲率差をより少なくして見栄えがさらに良いレンズを実現することが可能となったものである。なお、第一屈折面を球面としていた従来の設計手法では、光学性能と見栄えとを両立させることは極めて困難であった。
さらに、第５の手段によれば、眼鏡レンズの左眼用及び右眼用のレンズの少なくとも一つがトーリック面或いはまたアトーリック面を有するようにしたことにより、乱視矯正用としても適用できる眼鏡レンズを得ることができる。
また、第６〜第７の手段によれば、光学性能と見栄えとの双方に優れ、かつ、左右のバランスもよいので、優れた眼鏡を構成できる眼鏡レンズを得ることができる。
第８〜第１０の手段によれば、非点収差や凸面ベースカーブ（第一屈折面）等の光学性能を含む因子を、左右のレンズについて比較検討し、両眼視のバランス調整が必要かどうかを判断して、バランス調整を必要と判断した場合、左眼、右眼の光学性能を含む因子が同等になるように、その顧客に適した光学レンズ設計を行って眼鏡レンズを供給するようにしているので、光学性能と見栄えとの双方に優れ、かつ、左右のバランスもよい、優れた眼鏡を構成できる眼鏡レンズを供給することができる。
第１１の手段によれば、度数を含む処方の違いが左右眼で所定以上である場合に、左右の眼鏡レンズの第一屈折面の曲率を、両者の中間値を採用することにより、ベースカーブの調整を行い、かつ前記左右の眼鏡レンズの度数を含む処方条件を満たすように第二屈折面を決定するようにしたことにより、極めて簡単に、左右のバランスがとれて見栄えが良くかつ所定の性能を有する眼鏡レンズを得ることができる。    
【発明を実施するための最良の形態】
【００１１】
図１は本発明の実施の形態にかかる眼鏡レンズ供給方法を実施するためのシステムの全体構成図、図２〜図４は本発明の実施の形態にかかる眼鏡レンズ供給方法の流れを示すフロチャート図、図５はレンズの種類の指定を行うオーダーエントリー画面を示す図、図６
はプラスレンズの球面設計のレンズ設計表の例を示す図、図７は球面設計によるレンズの非点収差図であって図７（ａ）が左眼で図７（ｂ）が右眼の場合を示す図、図８は光線追跡法の原理説明図、図９は再設計後のレンズの曲率半径等を表にした図、図１０は再設計後のレンズの非点収差図、図１１は再設計前後のレンズの曲面形状を示す図、図１２はマイナスレンズの球面設計のレンズ設計表の例を示す図、図１３は球面設計によるレンズの非点収差図であって図１３（ａ）が左眼で図１３（ｂ）が右眼の場合を示す図、図１４は再設計後のレンズの曲率半径等を表にした図、図１５は再設計後のレンズの非点収差図、図１６は再設計前後の後のレンズ曲面形状を示す図である。以下、これらの図面に基づいて、実施の形態にかかる眼鏡レンズ供給方法、眼鏡レンズ製造方法及び眼鏡レンズを説明する。
【００１２】
図１において、発注側である眼鏡店１００とレンズ加工側であるレンズメーカの工場２００とは公衆通信回線３００で接続されている。図では眼鏡店を１つしか示さないが、実際には複数の眼鏡店が工場２００に接続される。また、この通信回線は、眼鏡店のほかに、眼科医１００１、或いは個人１００２にも接続するようにしてもよい。
【００１３】
眼鏡店１００には、オンライン用の端末コンピュータ１０１およびフレーム形状測定器１０２が設置される。端末コンピュータ１０１はキーボード入力装置やＣＲＴ画面表示装置を備えるとともに、公衆通信回線３００に接続されている。公衆通信回線３００は、眼科医及び個人はインターネットを利用するものであってもよい。端末コンピュータ１０１へは、加工に必要な条件データを送信し、フレームデータにおいては、フレームメーカーの型式などの識別番号あるいはフレーム形状測定器１０２から眼鏡枠実測値が入力されて演算処理が行われる。キーボード入力装置からその他の眼鏡レンズ情報、処方値等が入力される。
【００１４】
そして、端末コンピュータ１０１の出力データは、公衆通信回線３００を介して工場２００のメインフレーム２０１にオンラインで転送される。なお、端末コンピュータ１０１とメインフレーム２０１との間に、中継局を設けるようにしてもよし、インターネットの場合ではブラウザーがその機能を有することとなる。また、端末コンピュータ１０１の設置場所については眼鏡店１００に限定されるものではない。
【００１５】
メインフレーム２０１は眼鏡レンズ加工設計プログラム、ヤゲン加工設計プログラム等を備え、入力されたデータに基づき、ヤゲン形状を含めたレンズ形状を演算し、その演算結果を、公衆通信回線３００を介して端末コンピュータ１０１に戻して画面表示装置に表示させるとともに、その演算結果を工場２００の各端末コンピュータ２１０，２２０，２３０，２４０，２５０にＬＡＮ２０２を介して送るようにする。
【００１６】
端末コンピュータ２２０には、レンズメータ２２１と肉厚計２２２とが接続され、端末コンピュータ２２０は、レンズメータ２２１と肉厚計２２２とで得られた測定値と、メインフレーム２０１から送られた演算結果とを比較して、曲面仕上げが完了したレンズの受入れ検査を行うとともに、合格レンズには光学中心を示すマーク（３点マーク）を施す。
【００１７】
端末コンピュータ２３０には、マーカ２３１と画像処理機２３２とが接続され、端末コンピュータ２３０は、メインフレーム２０１から送られた演算結果に従い、レンズの縁摺りおよびヤゲン加工をする際にレンズをブロック（保持）すべきブロッキング位置を決定し、また、ブロッキング位置マークを施すことに使用される。このブロッキング位置マークに従い、ブロック用の治工具がレンズに固定される。
【００１８】
端末コンピュータ２４０には、マシニングセンタからなるＮＣ制御のレンズ研削装置２４１とチャックインタロック２４２とが接続され、端末コンピュータ２４０は、メインフ
レーム２０１から送られた演算結果に従い、レンズの縁摺り加工およびヤゲン加工を行う。
【００１９】
端末コンピュータ２５０には、ヤゲン頂点の形状測定器２５１が接続され、端末コンピュータ２５０は、この形状測定器２５１が測定したヤゲン加工済のレンズの形状を、メインフレーム２０１から送られた演算結果と比較して加工の合否判定を行う。
【００２０】
以上のような構成のシステムにおいて、眼鏡レンズが供給されるまでの処理の流れを、以下、図２〜図５を参照して説明する。なお、この処理の流れには、「問い合わせ」と「注文」との２種類があり、「問い合わせ」は、ヤゲン加工を含めたレンズ加工の完了時のレンズ予想形状を報知するように、眼鏡店１００が工場２００に求めることであり、また、「注文」は、縁摺り加工前のレンズまたはヤゲン加工済のレンズを送るように、眼鏡店１００が工場２００に求めることである。
【００２１】
図２は、眼鏡店１００での最初の入力処理の流れを示すフローチャートである。図中、Ｓに続く数字はステップ番号を表す。
〔Ｓ１〕  スタート操作により、眼鏡店１００の端末コンピュータ１０１のレンズ注文問い合わせ処理プログラムが起動され、オーダエントリ画面が画面表示装置に表示される。眼鏡店１００のオペレータは、オーダエントリ画面を見ながら、キーボード入力装置により、注文あるいは問い合わせの対象となるレンズの種類の指定を行う。
【００２２】
図５はこのレンズの種類の指定に使用されるオーダエントリ画面の一例を示す図である。すなわち、欄６１でレンズの種類を指定する。つまり、メーカ側の商品区分記号が入力され、これによりレンズ材質、屈折率、コーティング、レンズカラー、レンズ表面の光学設計外径等が指定できるようになっている。問い合わせの場合には２種類のレンズを指定できる。欄６５の「形態」で、注文あるいは問い合わせをするレンズが、ヤゲン加工済のレンズ（ＨＥＬＰ）なのか、または縁摺り加工とヤゲン加工とが施されないレンズなのかを指定する。また、欄６５の「ＭＥＴＳ加工」で、レンズの厚さを必要最小値になるように指定する加工指定や、マイナスレンズのコバを目立たなくする面取りおよびその部分の研磨仕上げを指定する加工指定を行う。
【００２３】
欄６２では、「両眼視バランス設計」の指定を行うかどうかを入力する。ここで、「両眼視バランス設計」とは、左右のレンズが処方条件を所定範囲内で満たすようにすることは勿論であるが、左右のレンズの光学性能の差を所定範囲内に収めた上で、さらに、左右のレンズの第１面（第一屈折面）の曲率（ベースカーブ）の差を所定範囲内に収めて、眼鏡を装用したときの外観上においても左右のバランスをとり、見栄えをよくすることを意味する。なお、図示しないが、図５のオーダエントリ画面の下部に、ソフトキーメニューが表示される。ここでは、画面に登録したデータを送信するための送信キー、画面入力したデータを登録する登録キー、画面をオーダー画面に切り換えるオーダーキー、クリアキー、頁指定キー、および登録の終了を示す終了キーが表示される。これらのソフトキーは、端末コンピュータ１０１のキーボード上にあるファンクションキーにより選択指定される。
【００２４】
〔Ｓ２〕  図５の欄６１で、レンズのカラーの指定を行う。
〔Ｓ３〕  図５の欄６２の左欄で左右眼の球面屈折力、円柱屈折力、乱視軸、加入度等のレンズの処方値を入力し、同様に、欄６２の右欄でレンズの加工指定値を、欄６３で眼鏡枠（フレーム）の情報を、欄６４でレイアウト情報、例えばＰＤ、ＮＰＤ（近用ＰＤ）、ＳＥＧ（ＳＥＧＭＥＮＴ柱位置）、ＥＴ（最小コバ厚値）、ＥＰ（アイポイント）等、ヤゲンモード、ヤゲン位置を含めたヤゲン形状を入力する。レイアウト情報は、眼鏡枠上の瞳孔位置であるアイポイント位置を指定するものである。
【００２５】
眼鏡枠の情報は、フレーム測定装置のないインターネットでの個人の端末からのオーダーに対応できるように、メーカの商品区分記号（フレーム番号）の入力方式の場合と、直接フレームを測定し、そのデータを入力する場合とが選択できるようになっている。その他、フレームサイズ、フレーム素材、色、形状、玉型種類等のフレーム情報の一切が入力できるようになっており、「問い合わせ」の場合には、ステップＳ１でのレンズの種類の指定が１種類であれば、眼鏡枠を２種類まで指定することができる。
【００２６】
オーダエントリ画面で、「加工１」〜「加工３」とあるのは、一般的な加工指定を入力する部分であり、レンズの加工指定値として、レンズ厚さ、コバ厚さ、プリズム、偏心、外径、およびレンズ表カーブ（ベースカーブ）等の各指定値が入力できる。更に、「両眼視バランス設計」の指定を行うかどうかを「あり」、「なし」で入力する。
【００２７】
ヤゲンモードは、レンズコバのどこにヤゲンを立てるかによって、「１：１」、「１：２」、「凸ならい」、「フレームならい」、および「オートヤゲン」のモードがあり、それらの中から選択して入力する。「凸ならい」とは、レンズ表面（前面）に沿ってヤゲンを立てるモードである。
【００２８】
ヤゲン位置の入力は、ヤゲンモードが「凸ならい」、「フレームならい」、および「オートヤゲン」のときに限り有効であり、ヤゲン表面側底の位置をレンズ前面からどれだけ後面方向に位置させるかを指定するもので、０．５ｍｍ単位で指定する。眼鏡枠が厚く、枠前面からヤゲン溝までの距離が長い場合でも、このヤゲン位置の入力で、レンズ前面が枠前面に沿う用にヤゲン頂点を位置付けることができる。
【００２９】
ヤゲン形状は、「標準ヤゲン」「コンビ用ヤゲン（コンビネーションフレーム用ヤゲン）」、「溝摺り」、「平摺り」から選択して入力する。「コンビ用ヤゲン」は眼鏡枠に装飾部材が設けられ、レンズが装飾部材に当たるような場合に指定する。「溝摺り」、「平摺り」もここで指定する。
【００３０】
〔Ｓ４〕  欄６３に指定した眼鏡枠に対し、図１のフレーム形状測定機１０２による眼鏡枠形状の測定が既に完了しているか（形状データを持っているかどうか）否かを判別する。完了していればステップＳ７へ進み、完了していなければステップＳ５へ進む。
【００３１】
〔Ｓ５〕  まず、眼鏡店１００の端末コンピュータ１０１において、レンズ注文問い合わせ処理プログラムからフレーム形状測定プログラムへ処理が渡される。そして、これから形状測定される眼鏡枠に付された測定番号を入力する。また、眼鏡枠の材質（メタル、プラスティック等）を指定し、さらに、フレーム曲げの可不可の指定を行う。眼鏡枠の材質は、レンズを眼鏡枠に枠入れする際に、眼鏡枠にレンズが嵌合するように材質に応じてヤゲン頂点の周長を補正するためのパラメータとしてステップＳ１２の演算に使用される。フレーム曲げが不可の指定がある場合、眼鏡枠を曲げずにレンズを枠入れすることができないときには、注文を受けないようにするため、眼鏡店１００の端末コンピュータ１０１の画面表示装置にエラー表示を出すようにする。
【００３２】
〔Ｓ６〕  測定すべき眼鏡枠をフレーム形状測定器１０２に固定して測定を開始する。フレーム形状測定器１０２は、眼鏡枠の左右枠のヤゲン溝に測定子を接触させ、その測定子を所定点を中心に回転させてヤゲン溝の形状の円筒座標値（Ｒｎ，θｎ，Ｚｎ）（ｎ＝１，２，・・・，Ｎ）を３次元的に検出し、データを端末コンピュータ１０１に送る。端末コンピュータ１０１では、場合によっては、それらのデータのスムージングを行い（スムージングを必要としない場合もある）、トーリック面の中心座標（ａ，ｂ，ｃ）、ベース半径ＲＢ、クロス半径ＲＣ、トーリック面の回転対称軸方向単位ベクトル（ｐ，ｑ，ｒ）
、またはフレームカーブＣＶ（眼鏡枠が球面上にあると見做せるときのその球面の曲率）、ヤゲン溝の周長ＦＬＮ、フレームＰＤ（瞳孔間距離）ＦＰＤ、フレーム鼻幅ＤＢＬ、眼鏡枠左右および上下の最大幅であるＡサイズおよびＢサイズ、有効径ＥＤ（最大動径の２倍の値）、左右眼鏡枠のなす角度である傾斜角ＴＩＬＴを算出する。
【００３３】
〔Ｓ７〕  既に眼鏡枠形状データがある場合には、そのデータを読み出すために、眼鏡枠の商品区分番号を入力する。
〔Ｓ８〕  商品区分番号に従い、該当する眼鏡枠についての記憶された眼鏡枠形状情報をメインフレームのフレームデータの中から読み出す。
以上のステップＳ１〜Ｓ８により、眼鏡レンズ情報、眼鏡枠情報、処方値、レイアウト情報、加工指示情報の必要とされる加工条件データが送信される。
【００３４】
〔Ｓ９〕  図５のオーダエントリ画面の欄６０に、「問い合わせ」か、「注文」かの指定をする。以上のステップの実行によって得られたレンズ情報、処方値、眼鏡枠情報等のデータが、公衆通信回線３００を介して工場２００のメインフレーム２０１に送られる。眼鏡枠情報は、２次元の極座標値（Ｒｎ，θｎ）（ｎ＝１，２，・・・，Ｎ）、トーリック面の中心座標（ａ，ｂ，ｃ）、ベース半径ＲＢ、クロス半径ＲＣ、トーリック面の回転対称軸方向単位ベクトル（ｐ，ｑ，ｒ）、またはフレームカーブＣＶ、ヤゲン溝の周長ＦＬＮ、フレームＰＤ（瞳孔間距離）ＦＰＤ、フレーム鼻幅ＤＢＬ、ＡサイズおよびＢサイズ、有効径ＥＤ、傾斜角ＴＩＬＴ等である。
【００３５】
図３は、工場２００での処理の流れ、ならびに工場２００からの転送により眼鏡店１００で行われる確認およびエラー表示のステップを示すフローチャートである。
〔Ｓ１１〕  工場２００のメインフレーム２０１には、眼鏡レンズ受注システムプログラム、眼鏡レンズ加工設計プログラム、およびヤゲン加工設計プログラムが備えられている。レンズ情報、処方値、眼鏡枠情報、レイアウト情報、ヤゲン情報等の加工条件データが、公衆通信回線３００を介して送られると、眼鏡レンズ受注システムプログラムを経て眼鏡レンズ加工設計プログラムが起動し、レンズ加工設計演算が行われる。
【００３６】
まず、眼鏡枠の形状情報、処方値、およびレイアウト情報に基づき、指定レンズの外径が不足していないかを確認する。レンズの外径が不足している場合には、ボクシングシステムでの不足方向、不足量を算出し、眼鏡店１００の端末コンピュータ１０１に表示するために、眼鏡レンズ受注システムプログラムに処理を戻す。
【００３７】
次に、レンズ加工設計を実行する。以下、レンズ加工設計の実行内容を説明する。なお、ここでは、上述の図５のオーダエントリ画面の欄６２において、「両眼視バランス設計」が指定されている場合について説明する。また、物点が無限遠にある場合として設計する。まず、プラスレンズの場合について説明する。すなわち、例えば、左眼が＋１Ｄ、右眼が＋３Ｄの処方がなされているとする。既存のレンズ設計プログラムでは、あらかじめ処方に応じて作成されてある球面設計のレンズの設計表（レンズデータテーブル）が選択され、その表の値を用いた設計がなされる。図６は球面設計のレンズの設計表（レンズデータテーブル）の例を示す図である。なお、表中の総高とはレンズを平面において横から見たときのレンズ全体の高さのことをいう。
【００３８】
上記表の値で設計した左右のレンズの非点収差図は、それぞれ図７（ａ）、（ｂ）に示すとおりである。この図の縦軸は視野の角度（単位：°）を、横軸は光軸上の屈折力を基準とした非点収差（単位：Ｄ、メリディオナル方向（ｍ）とサジタル方向（ｓ）との差分（ｍ−ｓ））をそれぞれ示す。この図を見ると良好に光学補正されていることが分かる。
【００３９】
ところで、眼鏡レンズにおいてレンズの形状を表す場合、曲率半径と共にカーブ（面屈
折力）という概念が良く用いられることは上述のとおりである。このカーブは上述の（１）式で計算される。なお、（１）式において、Ｒは曲率半径で単位はｍ（メートル）、ｎはレンズの屈折率を示す。（１）式を用いてそれぞれの第１面（第一屈折面）のカーブを計算すると５．４６Ｄ、８．０５Ｄである。この例の場合、左右のレンズで、第１面（第一屈折面）のカーブ差が、２．５９Ｄである。
【００４０】
眼鏡の見栄え（美感）という観点から検討すると、個人差はあるものの、左右のレンズのカーブ差がおおむね１Ｄを越えると、左右のレンズに外観上の相違のあることが認識され、左右のアンバランスを感ずる度合いが高くなることが分かった。そこで、本実施の形態では、これ以上のカーブ差があれば、光学性能のバランスが異常なものとして、再設計のプログラムを実行するようにしてある。
【００４１】
この再設計は、カーブ差をなくすために、＋３Ｄ側のレンズに以下の指標を満足するように、第一屈折面と第二屈折面との曲面形状の決定を行う。
（ａ）設計の基準は、第一屈折面を近似カーブで非球面設計にすること。
（ｂ）光学性能として非点収差の性能を損なわないこと。
【００４２】
上記条件を満たす曲率を有する曲面を求める手法として、Ｓｐｅｎｃｅｒの式及び光線追跡法を利用した手法を用いる。図８は光線追跡法の原理説明図である。図８は、遠視用レンズで、物体は有限距離にある場合を例にしての説明図である。回旋点ＣＲから、光軸Ａとθの角度をなす光線ｌを逆向きに送って、レンズＬの第一屈折面Ｌ1の頂点Ｏ1から前方に距離ａにある物体平面を貫く点Ｐの位置を定める。この光線ｌを主光線と呼ぶ。次に、Ｐ点を発し、上記主光線ｌについて、レンズＬを屈折した後のサジタル方向の像位置ｓと、メリディナル方向の像位置ｍとを算出し、非点収差（ｍ−ｓ）の量を計算する（詳しくは、応用物理  第２６巻  第５号  １９５７  第２０６〜２１０頁参照）。この場合、回旋点ＣＲとレンズＬの第二屈折面Ｌ2の頂点Ｏ2との距離ｂを２５ｍｍとする。なお、ｂの値は、欧米では２７ｍｍが用いられる。
【００４３】
レンズの曲面を求める設計式は、下記のＳｐｅｎｃｅｒの式（詳しくは、「Ｊ．Ｏｐｔ．Ｓｏｃ．Ａｍ．５２（１９６２）６７２」を参照）を用いる。
【数１】
2008083729.tif 000003
ただし、
ｎ：２以上の整数
Ｘ：光軸からの距離がρである非球面上の１点から、非球面頂点の接平面に下ろした垂線の距離
Ｃ：非球面頂点での基準球面の曲率（Ｃ＝１／Ｒ  Ｒ：頂点曲率半径）
ρ：光軸からの距離
Ｋ：円錐係数
Ａｎ：ρ2nの項の非球面係数
【００４４】
上記手法により、左右のレンズのベースカーブをほぼ同等にするとともに、第２屈折面
の曲率半径及び中心厚を求めた後、収差最適化手法により、非点収差が所定量以下になるようにＫ、Ａｎを決める。図９は再設計して得たレンズ（右眼）の曲率半径等を示す表である。表において、非球面である第一面曲率半径は、第一面の頂点曲率半径を示す。非球面におけるレンズカーブの計算は、頂点曲率半径を用いて計算する（以下の例でも同じである）。この表から明らかなように、この再設計レンズは、第１面（第一屈折面）に対して、レンズ形状に非球面設計を使用して、９２．２４２ｍｍ（５．４２Ｄ）にしており、レンズカーブも１カーブ以内に修正されている。また、図１０は再設計して得たレンズ（右眼）の非点収差図である。図１０から明らかなように、光学性能的を再設計前のものとほぼ同程度に維持しつつ、外観上の見栄えを著しく改善できたことがわかる。図１１は再設計前後のレンズの曲面形状を比較した図である。図１１から、再設計によって、第１面（第一屈折面）の曲率が左右でほぼ同じになったことが分かる。
【００４５】
上記例において、右眼用レンズに非球面を採用したが、左眼用レンズに用いても良いのは言うまでもない。また非点収差を同等になるようにしたが、非点収差・像面湾曲・歪曲収差のうち少なくとも一つがほぼ同等であるようにしても良い。眼鏡レンズにおいてザイデルの５収差のうち瞳径が眼鏡レンズと比べて小さく、眼鏡レンズの焦点距離が長いため（すなわちＦナンバーが大きい暗い光学系であるため）及び眼の限界解像角が約１′とあまり小さくないことから球面収差及びコマ収差は度の強いレンズを除いて、考慮する必要はないことがわかる。
【００４６】
次に、マイナスレンズの場合について説明する。すなわち、例えば、左眼が−１Ｄ、右眼が−３Ｄの処方がなされているとする。既存のレンズ設計プログラムでは、あらかじめ処方に応じて作成されてある球面設計のレンズの設計表が選択され、その表の値を用いた設計がなされる。図１２は球面設計のレンズの設計表の例を示す図である。
【００４７】
図１３は図１２の表の設計値によるレンズの非点収差図である。この図を見ると良好に非点収差の補正がされていることが分かる。プラスレンズの場合と同様に（１）式を用いてそれぞれの第一面のカーブを計算すると５．５０Ｄ、４．２５Ｄである。この例の場合、カーブ差が、１．２５Ｄもあるため外観上見栄えが良くないのは容易に理解される。そこで上記と同様にして、カーブ差をなくすための設計を−１Ｄ側（左眼）のレンズに行う。
【００４８】
図１４は再設計して得たレンズ（左眼）の曲率半径等を示す表である。この表から明らかなように、この再設計レンズは、第１面（第一屈折面）レンズカーブも１カーブ以内に修正されている。また、図１５は再設計して得たレンズ（左眼）の非点収差図である。図１５から明らかなように、光学性能的を再設計前のものとほぼ同程度に維持しつつ、外観上の見栄えを著しく改善できたことがわかる。図１６は再設計前後のレンズの曲面形状を比較した図である。図１６から、再設計によって、第１面（第一屈折面）の曲率が左右でほぼ同じになったことが分かる。
【００４９】
上記２つの例においては、左右のレンズのベースカーブを浅いほうのカーブに合わせたが、必ずしも浅いほうを常に基準とする必要はない。ただし、上記例から分かるように浅いカーブに合わせた方が総高が低くなりレンズの薄型化・軽量化が可能となるという効果がある。さらにレンズの薄型化、低カーブ化のため左右のレンズに非球面を用いても良いのは言うまでもない。
【００５０】
また、乱視の処方のためレンズの第二面にトーリック面或いはアトーリック面を採用する場合があるが本発明はこれらの処方も含むのは言うまでもない。なおトーリック面とは直交する２つの主経線を有し、各主経線は球面形状で構成されているものをいい、アトーリック面とはその各主経線が非球面形状で構成されているものをいう。
【００５１】
また、上記例においては、予め用意されたレンズデー・BR>^テーブルが球面設計の左右眼レンズであったが、このレンズデータテーブルは非球面設計のものであってもかまわない。また、上記例において、予め用意されたレンズデータテーブルが単焦点の左右眼レンズであったが、このレンズデータテーブルは多焦点レンズあるいは累進焦点レンズであってもかまわない。というのは、例えば遠用部（遠方視するときに使う部分）のカーブを左右のレンズで揃え、光学性能を同等にすることも可能である。
また、単に、凸面側の外観的な見栄えのみの要求であれば、左右眼レンズのベースカーブをそろえ、て眼鏡としての光学性能を２次的なものとし、単に凸面カーブを一致、或いは近似させて、一方の凹面側を再設計するベースカーブ調整方法も用いることができる。この場合は、上述の第２図のオーダーエントリー画面の「加工」の欄で発注側から「レンズ表カーブ指定」がなされた場合に実施する。
さらには、左右の眼鏡レンズの第一屈折面及び第二屈折面の曲面の曲率を設計する際に、左右の眼鏡レンズの第一屈折面の曲率を、両者のベースカーブの中間の値のベースカーブを採用することにより、ベースカーブ調整を行い、かつ左右の眼鏡レンズの度数を含む処方条件をそれぞれ満たすようにしながら、第二屈折面のカーブを決定することもできる。
【００５２】
以上により、縁摺り加工前のレンズの全体形状が決定する。ここで、眼鏡枠各方向の動径毎に全周のコバの厚さを調べて、必要なコバ厚さを下回る箇所がないかを確認する。そして、レンズの加工のために必要となる、工場２００の端末コンピュータ２１０に対する指示値を算出する。
【００５３】
以上の演算は、端末コンピュータ２１０、荒擦り機２１１、および砂掛け研磨機２１２によって、縁摺り加工前のレンズ研磨加工が行われる場合に必要なものであり、算出された種々の値が次のステップに渡される。
【００５４】
〔Ｓ１２〕  次に、メインフレーム２０１では、眼鏡レンズ受注システムプログラムを経てヤゲン加工設計プログラムが起動し、ヤゲン加工設計演算が行われる。ヤゲン加工を行うためにレンズを保持する際に基準となる加工原点および回転軸である加工軸を決め、この加工座標に今までのデータを座標変換する。そして３次元のヤゲン加工の設計演算を行う。
【００５５】
〔Ｓ１３〕  図２のステップＳ９での指定が「注文」ならばステップＳ１５へ進み、一方、「問い合わせ」ならば、問い合わせの結果を公衆通信回線３００を介して眼鏡店１００の端末コンピュータ１０１へ送り、ステップＳ１４へ進む。
〔Ｓ１４〕  このステップは、工場２００のメインフレーム２０１から送られてきた問い合わせの結果に基づき、端末コンピュータ１０１が両眼視バランス設計やヤゲン加工完了時のレンズの予想形状を画面表示装置に表示し、変更や確認に供するためにある。
【００５６】
両眼視バランス設計では、前記カーブを揃える前のレンズ形状とデータ、カーブを揃えた後のレンズ形状とデータを比較するための表示手段を備える。こうして、眼鏡店１００では、この表示画面によりヤゲン形状や再設計のレンズ表面の出っ張り具合やコバ厚さ等の全体を確認して必要に応じて指定変更する。
【００５７】
〔Ｓ１５〕  図２のステップＳ９での指定が「注文」ならば、このステップを実行し、図３のステップＳ１１およびステップＳ１２での加工設計演算においてエラーが発生したか否かを判別する。エラーが発生していれば、その結果を公衆通信回線３００を介して眼鏡店１００の端末コンピュータ１０１へ送り、ステップＳ１７へ進む。一方、エラーが発生していなければ、その結果を公衆通信回線３００を介して眼鏡店１００の端末コンピュー
タ１０１へ送り、ステップＳ１６へ進むとともに、ステップＳ１８以降（図４）に進み、実際の加工を実行する。
【００５８】
〔Ｓ１６〕  眼鏡店１００の端末端末コンピュータ１０１の画面表示装置に「注文を受け付けた」旨の表示を行う。これにより、眼鏡枠に確実に枠入れ可能な縁摺り加工前またはヤゲン加工後のレンズを発注できたことが確認できる。
〔Ｓ１７〕  注文のレンズは、レンズ加工設計演算またはヤゲン加工設計演算においてエラーが発生していて加工のできないレンズであるから、「注文を受け付けられない」旨の表示を行う。
【００５９】
図４は、工場２００で行われるレンズ裏面の研磨加工、レンズの縁摺り加工、およびヤゲン加工等の実際の工程を示すフローチャートである。
〔Ｓ１８〕  ステップＳ９で「注文」が指定されていて、しかもレンズまたはヤゲンの加工設計演算においてエラーが発生していなかった場合は、このステップが実行される。すなわち、予め、ステップＳ１１でのレンズ加工設計演算結果が図１の端末コンピュータ２１０に送られており、荒擦り機２１１と砂掛け研磨機２１２とにより、送られた演算結果に従い、レンズ裏面の曲面仕上げを行う。さらに、図示がない装置により、染色や表面処理が行われ、縁摺り加工前までの加工が行われる。なお、在庫レンズが指定されたときは、このステップはスキップされる。
【００６０】
〔Ｓ１９〕ステップＳ１８の実行で縁摺り加工前まで加工された眼鏡レンズに対して光学性能、外観性能の品質検査を行う。この検査には、図１の端末コンピュータ２２０、レンズメータ２２１、肉厚計２２２が利用され、光学中心を示す３点マークが施される。なお、縁摺り加工前までのレンズを眼鏡店１００から注文された場合には、上記品質検査を行った後、そのレンズを眼鏡店１００へ出荷する。
【００６１】
〔Ｓ２０〕  ステップＳ１２で演算された結果に基づき、図１の端末コンピュータ２３０、マーカ２３１、画像処理機２３２等により、レンズ保持用のブロック治工具をレンズの所定の位置に固定する。
【００６２】
〔Ｓ２１〕  ブロック治工具に固定されたレンズを、図１のレンズ研削装置２４１に装着する。そして、レンズ研削装置２４１に装着された状態でのレンズの位置（傾斜）を把握するために、予め指定された、レンズ表面または裏面の少なくとも３点の位置を測定する。ここで得られた測定値は、ステップＳ２２で演算データとして使用されるために記憶される。
【００６３】
〔Ｓ２２〕  図１のメインフレーム２０１がステップＳ１２のヤゲン加工設計演算と同様の演算を行う。ただし、実際の加工では、計算上で把握したレンズの位置と実際のレンズの位置とに誤差が生じる場合があるので、加工座標への座標変換が終了した時点で、この誤差の補正を行う。他はステップＳ１２のヤゲン加工設計演算と同様の演算を行い、最終的な３次元ヤゲン先端形状を算出する。そして、この算出された３次元ヤゲン先端形状を基に、所定の半径の砥石で研削加工する際の加工座標上の３次元加工軌跡データを算出する。
【００６４】
〔Ｓ２３〕  ステップＳ２２で算出された加工軌跡データが端末コンピュータ２４０を介してＮＣ制御のレンズ研削装置２４１に送られる。レンズ研削装置２４１は、Ｙ軸方向（スピンドル軸方向に垂直方向）に移動制御されてレンズの縁摺りやヤゲン加工を行う研削用の回転砥石を有し、また、レンズを固定するブロック治工具の回転角制御（スピンドル軸回転方向）と、Ｚ軸方向（スピンドル軸方向）に砥石またはレンズを移動制御してヤゲン加工を行うＺ軸制御との、少なくとも３軸制御が可能なＮＣ制御の研削装置であり、送
られたデータに従い、レンズの縁摺りおよびヤゲン加工を行う。
【００６５】
〔Ｓ２５〕  ヤゲン加工完了のレンズのヤゲン位置を含むヤゲン形状を、ステップＳ１２で演算された結果に基づいて作成された加工指示書に打ち出されているヤゲン位置の図面と比較してヤゲンの品質を検査する。また、縁摺り加工によってレンズに傷、バリ、欠け等が発生していないかの外観検査を行う。
〔Ｓ２６〕以上のようにして出来上がったヤゲン加工上がりレンズを眼鏡店１００へ出荷する。
【００６６】
なお、左右眼のいずれかが破損した場合片眼だけ受注するが、この場合残った方のレンズの光学性能さえ分かれば、そのデータから破損した方のレンズの設計ができるので、供給が可能である。また、レンズ設計の手法としては、物点を無限遠として設計してもよいし、それ以外の近距離で設計してもよいことは勿論である。  
【図面の簡単な説明】
【００６７】
【図１】本発明の実施の形態にかかる眼鏡レンズ供給方法を実施するためのシステムの全体構成図である。
【図２】本発明の実施の形態にかかる眼鏡レンズ供給方法の流れを示すフロチャート図である。
【図３】本発明の実施の形態にかかる眼鏡レンズ供給方法の流れを示すフロチャート図である。
【図４】本発明の実施の形態にかかる眼鏡レンズ供給方法の流れを示すフロチャート図である。
【図５】レンズの種類の指定を行うオーダーエントリー画面を示す図である。
【図６】プラスレンズの球面設計のレンズ設計表の例を示す図である。
【図７】球面設計によるレンズの非点収差図であって図７（ａ）が左眼で図７（ｂ）が右眼の場合を示す図である。
【図８】光線追跡法の原理説明図である。
【図９】再設計後のレンズの曲率半径等を表にした図である。
【図１０】再設計後のレンズの非点収差図である。
【図１１】再設計前後のレンズの曲面形状を示す図である。
【図１２】マイナスレンズの球面設計のレンズ設計表の例を示す図である。
【図１３】球面設計によるレンズの非点収差図であって図１３（ａ）が左眼で図１３（ｂ）が右眼の場合を示す図である。
【図１４】再設計後のレンズの曲率半径等を表にした図である。
【図１５】再設計後のレンズの非点収差図である。
【図１６】再設計前後のレンズの曲面形状を比較した図である。
【図１】
2008083729.tif 000004
【図２】
2008083729.tif 000005
【図３】
2008083729.tif 000006
【図４】
2008083729.tif 000007
【図５】
2008083729.tif 000008
【図６】
2008083729.tif 000009
【図７】
2008083729.tif 000010
【図８】
2008083729.tif 000011
【図９】
2008083729.tif 000012
【図１０】
2008083729.tif 000013
【図１１】
2008083729.tif 000014
【図１２】
2008083729.tif 000015
【図１３】
2008083729.tif 000016
【図１４】
2008083729.tif 000017
【図１５】
2008083729.tif 000018
【図１６】
2008083729.tif 000019